(57)【要約】【課題】部品点数が少なく、簡易な構造により、針金などの不正器具による不正解錠を防止することができる遊技機用施錠装置を提供する。【解決手段】カム部材８に設けた第一係合凸部８ａが解錠時及び施錠時に係合する係合孔１１が摺動杆６に設けられ、カム部材８の第一係合凸部８ａが係合孔１１に嵌入する。施錠状態においてシリンダ錠７の錠軸７ｂが回動を阻止され且つカム部材８の第一係合凸部８ａが係合孔１１に嵌入することによって摺動杆６の移動が阻止される。前面枠２１を閉じて施錠する際、キーをシリンダ錠７に差し込んでシリンダ錠７の錠軸７ｂのロックを解除してカム部材８を回動可能な状態とし、摺動杆６及び鉤部４，５を摺動させて施錠する。【選択図】図５
2007313049.tif 000002
【特許請求の範囲】
【請求項１】
上部と下部に鉤部を一体的に設けた摺動杆が基枠の内側に摺動可能に配設され、該基枠の取付板にシリンダ錠がその錠軸を内側に差込むように固定され、該錠軸の先端に前記摺動杆と係合するカム部材が固定され、前記基枠が遊技機の前面枠に縦に取付けられ、遊技機の本体枠またはガラス枠に取付けられた受け金具に前記鉤部が係止されて該前面枠またはガラス枠を施錠する遊技機用施錠装置において、
前記カム部材に設けた係合凸部が解錠時及び施錠時に係合する係合孔が該摺動杆に設けられ、施錠状態において前記シリンダ錠の錠軸が回動を阻止され且つ該カム部材の係合凸部が該係合孔に嵌入することにより該摺動杆の移動が阻止され、該前面枠またはガラス枠を閉じて施錠する際、キーを前記シリンダ錠に差し込んで該シリンダ錠の錠軸のロックを解除して該カム部材を回動可能とし、該摺動杆及び鉤部を摺動させて施錠することを特徴とする遊技機用施錠装置。
【請求項２】
前記鉤部付きの摺動杆に、施錠方向に付勢するばね部材が装着され、前記前面枠またはガラス枠を閉じて施錠する際、該鉤部の先端傾斜部が、本体枠またはガラス枠に取付けられた受け金具に当って一旦解錠側に摺動した後、該ばね部材の付勢力により該鉤部が施錠方向に移動して受け金具に係止されることを特徴とする請求項１記載の遊技機用施錠装置。
【請求項３】
前記前面枠を施錠するための鉤部は、前記基枠の背面側に突出して設けられ、前記ガラス枠を施錠するための鉤部は、該基枠の取付板に設けた矩形孔から正面側に突出して設けられることを特徴とする請求項１記載の遊技機用施錠装置。
【発明の詳細な説明】
【技術分野】
【０００１】
本発明は、パチンコ機、スロットマシンなどの遊技機の施錠装置に関し、特に、遊技機の前面枠（前扉）を本体枠（筐体）に対し、またはガラス枠を前面枠に対し良好に施錠すると共に、不正解錠を防止し得る遊技機用施錠装置に関する。
【背景技術】
【０００２】
例えば、パチンコ機の前面枠を本体枠に対し施錠する施錠装置として、下記特許文献１に記載されるように、断面Ｌ字状の取付板と支持板からなる基枠の内側に摺動杆が摺動可能に配設され、摺動杆の上部と下部に鉤部が側方に突出して形成され、取付板の中間部にシリンダ錠がその錠軸を取付板に設けた孔から内側に差込むように固定され、錠軸の先端に摺動杆と係合するカム部材が固定されてなる施錠装置が、使用されている。
【特許文献１】実開平２−３７８４号公報
【特許文献２】特許第３３０７８９５号公報
【発明の開示】
【発明が解決しようとする課題】
【０００３】
この種の施錠装置は、前面枠を施錠するために、前面枠を本体枠に対し閉じると、本体枠側に固定した受け金具の係止部に、摺動杆の上部と下部の鉤部が当たり、鉤部が摺動杆と共に解錠方向に一旦移動しながら元の位置に戻ってそのフック状の係止部分に係止され、施錠される。
【０００４】
しかしながら、この種の施錠装置では、摺動杆と鉤部が一体に形成され、施錠状態において、不正解錠をしようとする者が、前面枠の隙間から針金などを差し込み、その先端を摺動杆や鉤部の一部に引っ掛けて、解錠方向に引いた場合、摺動杆が上下の鉤部と共に、解錠側に摺動するため、不正解錠が比較的容易に行なわれ易いという課題があった。
【０００５】
そこで、従来、上記特許文献２などにおいて、シリンダ錠の操作時を除き、施錠状態の摺動杆の摺動をロックするロック部材を摺動杆に枢支し、施錠状態の摺動杆をロックするようにした施錠装置が提案されている。しかしながら、この種の摺動杆を施錠状態でロックする施錠装置は、摺動杆に枢支されるロック部材の他に、これを付勢するばね部材、及び前面枠の開放時にロックを解除するロック解除部材を取り付ける必要があり、構造が複雑化すると共に部品点数が増大し、また製造コストが高くなる課題があった。
【０００６】
本発明は、上記の課題を解決するためになされたもので、部品点数が少なく、簡易な構造により、針金などの不正器具による不正解錠を防止することができる遊技機用施錠装置を提供することを目的とする。
【課題を解決するための手段】
【０００７】
上記の目的を達成するために、本発明の施錠装置は、上部と下部に鉤部を一体的に設けた摺動杆が基枠の内側に摺動可能に配設され、該基枠の取付板にシリンダ錠がその錠軸を内側に差込むように固定され、該錠軸の先端に前記摺動杆と係合するカム部材が固定され、前記基枠が遊技機の前面枠に縦に取付けられ、遊技機の本体枠またはガラス枠に取付けられた受け金具に前記鉤部が係止されて該前面枠またはガラス枠を施錠する遊技機用施錠装置において、前記カム部材に設けた係合凸部が解錠時及び施錠時に係合する係合孔が該摺動杆に設けられ、施錠状態において前記シリンダ錠の錠軸が回動を阻止され且つ該カム部材の係合凸部が該係合孔に嵌入することによって該摺動杆の移動が阻止され、該前面枠またはガラス枠を閉じて施錠する際、キーを前記シリンダ錠に差し込んで該シリンダ錠の錠軸のロックを解除して該カム部材を回動可能な状態とし、該摺動杆及び鉤部を摺動させて施錠を行なうことを特徴とする。
【０００８】
ここで、上記鉤部を有する摺動杆に、施錠方向に付勢するばね部材が装着され、上記前面枠またはガラス枠を閉じて施錠する際、該鉤部の先端傾斜部が、本体枠またはガラス枠に取付けられた受け金具に当って一旦解錠側に摺動した後、該ばね部材の付勢力により該鉤部が施錠方向に移動して受け金具に係止されるように構成することができる。
【０００９】
また、上記前面枠を施錠するための鉤部は、基枠の背面側に突出して設けられ、上記ガラス枠を施錠するための鉤部は、基枠の取付板に設けた矩形孔から正面側に突出して設ける。
【発明の効果】
【００１０】
上記構成の施錠装置では、キーをシリンダ錠の鍵穴に差し込んだ状態で、前面枠を本体枠に対し閉じ、或いはガラス枠を前面枠に対し閉じて施錠する。このような施錠時、施錠装置の摺動杆の上下の鉤部の先端傾斜部が、本体枠またはガラス枠の受け金具の係止部に当り、これにより、鉤部と摺動杆が、縦方向に荷重を受け、ばね部材の付勢力に抗して一旦解錠方向に摺動し、鉤部の係止凹部が受け金具の係止部に達したとき、ばね部材の付勢力により元の位置に戻り、鉤部が受け金具の係止部に係止されて、施錠状態となる。このとき、カム部材及びシリンダ錠の錠軸はキーがシリンダ錠に差し込まれた状態であるため、錠軸のロックは解除され、摺動杆の移動に伴って錠軸とカム部材は従動・回動することができ、施錠が可能となる。
【００１１】
そして、施錠状態となった後は、キーをシリンダ錠から抜き取るため、シリンダ錠の錠軸とカム部材はロックされ、カム部材の係合凸部が摺動杆の係合孔に嵌入しているため、針金などの不正器具によって鉤部を有した摺動杆が移動することは不可能となり、前面枠またはガラス枠の針金等の不正器具による不正解錠は防止される。
【００１２】
このように、本発明の施錠装置によれば、鉤部を有する摺動杆に係合孔を設け、その係合孔にカム部材の係合凸部を、施錠状態において嵌入させる構造として、キーをシリンダ錠の鍵穴から引き抜いた状態で、シリンダ錠の錠軸及びカム部材がロックされる点を利用し、施錠時に摺動杆及び鉤部をロックし、不正解錠を防止する。
【００１３】
このため、従来のように、摺動杆に枢支されるロック部材、ロック部材用のばね部材、及びロック解除部材は不要となり、部品点数を削減できると共に、簡易な構造となって、製造コストを効果的に削減することができる。また、シリンダ錠を取り外した状態の中古の遊技機においては、摺動杆や鉤部がロックされることはないため、中古の遊技機の再生利用などの際、部品交換などの操作を簡便に行なうことができる。
【発明を実施するための最良の形態】
【００１４】
以下、本発明の実施例を図面に基づいて説明する。図１は施錠装置の右側面図を、図２はその背面図を示し、図３、図４はその分解図を示している。１は施錠装置のフレームとなる縦長の基枠であり、基枠１は、取付板２と支持板３を略直角に曲折して形成され、基枠１の取付板２の下部は、少し幅広に形成され、その部分の支持板３は基枠1の外側に膨出するように僅かに曲折されている。
【００１５】
基枠１の取付板２には、複数の取付孔が穿設され、前面枠の内側に取付孔と固定ねじを用いて固定可能である。また、取付板２の下部寄りの幅広部にシリンダ錠挿入用の異形孔が形成され、この異形孔にシリンダ錠７が内側から挿通され、そのフランジ７ａを取付板２の内側に当て、固定ねじにより内側から締付固定される。シリンダ錠７の錠軸７ｂの先端に、カム部材８が固定される。
【００１６】
カム部材８は、図４に示すように、第１係合凸部８ａと第２係合凸部８ｂを支持板３側に突出すように設けて形成され、さらに、第１係合凸部８ａと第２係合凸部８ｂは、従来のものより、長く突出する形状に形成され、通常時（キーにより錠軸７ｂを回動しない時）、第１係合凸部８ａが摺動杆６の係合孔１１に嵌合し、第２係合凸部８ｂがガラス枠摺動杆１０の係合孔１４に嵌合するようにしている。さらに、取付板２の上部には、ガラス枠鉤部１２を挿通させるための長孔２ａが形成され、その下部にもガラス枠鉤部１３を挿通させるための開口凹部２ｂが形成されている。
【００１７】
基枠１の支持板３の２箇所には、内側に突出する突出部が設けられ、その突出部にガイド孔３ｂ、３ｃが縦方向に形成される。さらに、シリンダ錠７に対応した位置の支持板３には、長孔状の逃し孔３ａが形成され、カム部材８が回動する際、その係合凸部が干渉しないようにしている。
【００１８】
支持板３の内側に、上部と下部に鉤部４、５を一体的に設けた摺動杆６が上下摺動可能に配設される。鉤部４、５は先端傾斜部を有しその中間部に係止凹部を下側に向けたフック状に形成され、鉤部４と鉤部５間が摺動杆６により連結され、鉤部４、５と摺動杆６は一体化されている。なお、鉤部４、５と摺動杆６は連結せずに素材裁断の段階から一体に形成することもできる。摺動杆６の連結箇所には、頭付きのガイドピン１６ａ，１６ｂの先端が取着されるが、そのガイドピン１６ａ，１６ｂは、支持板３の外側からガイド孔３ｂ、３ｃに挿通され、これにより、鉤部４、５を有した摺動杆６は支持板３の内側で所定の範囲で上下摺動可能に支持される。
【００１９】
さらに、摺動杆６のカム部材８に対向した箇所には、小矩形の係合孔１１が形成される。この係合孔１１には、施錠状態を含む通常時、カム部材８の第１係合凸部８ａが嵌入し、これにより、摺動杆６と鉤部４，５が針金などの不正器具により解錠方向に動くことを阻止する構造である。また、解錠操作時においても、カム部材８の第１係合凸部８ａがこの係合孔１１に嵌入して解錠方向に摺動させるように動作する。
【００２０】
さらに、基枠１の内側に、ガラス枠施錠用のガラス枠摺動杆１０が取付板２の内側に、上下摺動可能に装着される。ガラス枠摺動杆１０の上部と下部には、フック状のガラス枠鉤部１２，１３がその正面側に突出するように一体に形成されている。ガラス枠摺動杆１０の下部に、支持板３に沿った係合部位が設けられ、この下部の係合部位はカム部材８に対向した位置に配置され、この係合部位に、カム部材８の第２係合凸部８ｂが施錠時及び解錠時に嵌入する係合孔１４が形成されている。
【００２１】
さらに、ガラス枠摺動杆１０の取付板２に沿った部分には、上部に２個のガイド孔１０ａ、１０ｂが形成され、下部に１個のガイド孔１０ｃが形成される。これらのガイド孔１０ａ〜１０ｃには、ガイドピン１５ａ〜１５ｃが挿通され、各ガイドピンの先端は取付板２上に固定される。また、ガラス枠摺動杆１０の下部には、そのガラス枠鉤部１３の近傍に、逃し孔１０ｄが設けられ、この逃し孔１０ｄによってガイドピン１５ｃの内側に突出した部分との干渉を回避している。このように、これらのガイド孔１０ａ〜１０ｃとガイドピン１５ａ〜１５ｃにより、ガラス枠摺動杆１０は基枠１内において所定の範囲で摺動可能に保持される。
【００２２】
ばね部材（コイルばね）１７が摺動杆６の上部とガラス枠摺動杆１０の間に掛けられ、ばね部材（コイルばね）１８が取付板２とガラス枠摺動杆１０との間に掛けられ、さらに、ばね部材（コイルばね）１９が摺動杆６の下部と取付板２の下部に掛け渡される。ばね部材１７，１９は摺動杆６の鉤部４，５を下方の施錠側に付勢し、ばね部材１８はガラス枠摺動杆１０のガラス枠鉤部１２，１３を上方のガラス枠施錠側に付勢する。鉤部４、５を上部と下部に有する摺動杆６は、パチンコ機の前面枠用の施錠機構を構成し、ガラス枠鉤部１２，１３を上部と下部に有するガラス枠摺動杆１０は、パチンコ機のガラス枠用の施錠機構を構成する。
【００２３】
上記のように、取付板２の下部の拡幅部分に、シリンダ錠７を取り付けるための異形孔が形成され、シリンダ錠７の元部がそこに固定されている。シリンダ錠７は、その元部にフランジ７ａを有し、錠軸７ｂを基枠１の内側に挿入するようにし、フランジ７ａを取付板２の内側に固定ねじで締付固定して取り付けられる。
【００２４】
シリンダ錠７の錠軸７ｂには、カム部材８が固定されるが、このカム部材８は、通常時、係合孔１１，１４に嵌合可能な程度に長く突出して形成された第１係合凸部８ａと第２係合凸部８ｂを支持板３側に有している。したがって、通常時（キーによる非操作時）、図２に示すように、カム部材８の第１係合凸部８ａは摺動杆６の係合孔１１に嵌合し、その第２係合凸部８ｂはガラス枠摺動杆１０の末端の係合孔１４に嵌合している。また、シリンダ錠７は、その構造上、必然的に、キーを鍵穴から引き抜いた状態で、内部のタンブラーピンがシリンダ内の係合孔に係合し、シリンダ錠の錠軸はロックされた状態となる。このため、シリンダ錠７は、キーを鍵穴から引き抜いた状態で、その錠軸７ｂがロックされ、カム部材８は回動できない構造である。
【００２５】
つまり、キーを鍵穴から抜いた施錠時には、摺動杆６とガラス枠摺動杆１０がシリンダ錠７とカム部材８によりロックされることになる。また、解錠時にキーをシリンダ錠７に差し込み右に回して、図２反時計方向にカム部材８を回動させた場合、カム部材８の第１係合凸部８ａは摺動杆６の係合孔１１に係合したまま、摺動杆６を上方に摺動させ、鉤部４、５を上方に摺動させることができる。
【００２６】
上記のように、基枠１の取付板２の上部に、ガラス枠鉤部１２を挿通するための長孔２ａが形成され、その長孔２ａからガラス枠鉤部１２が前方に突出する。また、取付板２の下部上寄りには、ガラス枠鉤部１３を挿通するための開口凹部２ｂが形成され、その開口凹部２ｂからガラス枠鉤部１３は前方に突出する。ガラス枠摺動杆１０には、上記のように、３個のガイド孔１０ａ〜１０ｃが形成され、各々のガイド孔に頭付のガイドピン１５ａ〜１５ｃが通され、その先端が取付板２上に固定される。
【００２７】
これにより、ガラス枠摺動杆１０は取付板２上において所定の範囲で上下摺動可能に支持される。ガラス枠摺動杆１０と取付板２の間にばね部材１８が掛けられ、さらにガラス枠摺動杆１０と摺動杆６と間にばね部材１７が掛けられ、さらに、摺動杆６と取付板２間にばね部材１９が掛けられ、これにより、摺動杆６は下方の施錠側に付勢され、ガラス枠摺動杆１０は上方の施錠側に付勢される。
【００２８】
このように構成された施錠装置は、図６，８に示すように、パチンコ機における例えば合成樹脂製の前面枠２１の内側に、シリンダ錠７の先端を前面に露出させ、鉤部４、５をパチンコ機の本体枠２０側に突出した状態で、取付板２を用いて縦に取付けられる。
【００２９】
一方、本体枠２０の内側の鉤部４、５に対応した上下位置には、受け金具２３，２４が固定される。また、前面枠２１の前面に開閉可能に装着されたガラス枠２２には、ガラス枠摺動杆１０のガラス枠鉤部１２，１３に対応した位置に、ガラス枠の係止部２５，２６が設けられる。
【００３０】
上記構成の遊技機用施錠装置は、パチンコ機における前面枠２１を本体枠２０に対し閉じる場合、キーをシリンダ錠７の鍵穴に差し込んだ状態とし、前面枠２１を閉じる。このとき、先ず、施錠装置の上下の鉤部４、５の先端傾斜部が本体枠２０側の受け金具２３，２４に当る。そして、鉤部４,５と一体の摺動杆６は、上方への力を受け、上方へ摺動し、摺動杆６の係合孔１１と係合しているカム部材８の第１係合凸部８ａはこれに従動し、カム部材８はシリンダ錠７の錠軸７ｂと共に、図２の反時計方向に回動する。その後、受け金具２３，２４が鉤部４，５の係止凹部に達したとき、摺動杆６と鉤部４，５がばね部材の付勢力により元の位置に戻って、鉤部４，５が受け金具２３，２４に係止され、施錠状態となる。
【００３１】
そして、シリンダ錠７からキーを引き抜くと、錠軸７ｂ、カム部材８がロックされ、図５のように、カム部材８の第１係合凸部８ａが係合孔１１に嵌入しているために、摺動杆６はロックされる。よって、このような施錠状態で、前面枠と本体枠の隙間から針金等を差し込み、摺動杆６や鉤部４，５を摺動させようとしても、摺動は不可能となり、不正解錠を防止することができる。
【００３２】
また、本施錠装置は、遊技機に使用される通常のシリンダ錠７が、鍵穴にキーを差し込むと、錠軸７ｂの回転が可能となり、キーを引き抜いた場合、錠軸７ｂがロックされることを利用したものであり、カム部材８の第１係合凸部８ａを、摺動杆６の係合孔１１に嵌入するだけの非常に簡単な構成によって、施錠時における摺動杆６と鉤部４，５のロックを行い、極めて低コストで不正解錠を防止することができるのである。
【００３３】
一方、前面枠２１を解錠する場合は、キーによってシリンダ錠７の錠軸７ｂを回し、カム部材８を図２反時計方向に回転させる。このとき、カム部材８の第１係合凸部８ａが摺動杆６の係合孔１１に係合してこれを上方へ摺動させ、上下の鉤部４、５を上に移動させる。この鉤部４、５の上移動によって、本体枠２０の受け金具２３，２４との係合が外れ、前面枠２１は開放可能な状態となる。
【００３４】
一方、前面枠２１内のガラス枠２２を前面枠２１に対し閉じる際には、上記と同様に、キーをシリンダ錠７の鍵穴に差し込んだ状態とし、錠軸７ｂとカム部材８を回動可能としてガラス枠２２を閉じる。このとき、ガラス枠２２の内側に設けた係止部２５，２６が、まず、ガラス枠摺動杆１０のガラス枠鉤部１２、１３の頭部の傾斜面に当り、これをガラス枠摺動杆１０と共に下方に摺動させ、ばね部材１７の付勢力によりガラス枠摺動杆１０が上方に戻ることにより、係止部２５，２６にガラス枠鉤部１２、１３が係止され、ガラス枠２２は施錠状態となる。このときも、上記と同様に、ガラス枠摺動杆１０が摺動する際、ガラス枠摺動杆１０の下端の係合孔１４にカム部材８の第２係合凸部８ｂが嵌入しているため、カム部材８、錠軸７ｂが従動回転することになる。
【００３５】
そして、シリンダ錠７からキーを引き抜くと、錠軸７ｂ、カム部材８がロックされ、カム部材８の第２係合凸部８ｂが係合孔１４に嵌入しているため、ガラス枠摺動杆１０はロックされる。よって、このような施錠状態で、前面枠２１とガラス枠２２の隙間または本体枠２０と前面枠２１の隙間からから針金等を差し込み、ガラス枠摺動杆１０を摺動させようとしても、摺動は不可能となり、不正解錠を防止することができる。
【００３６】
ガラス枠２２を解錠する場合は、シリンダ錠７のキーを左に回して、カム部材８を図２時計方向へ回動させると、カム部材８の第２係合凸部８ｂがガラス枠摺動杆１０の係合孔１４と係合しながらこれを下方へ摺動させ、上下のガラス枠鉤部１２、１３を下方へ移動させる。この動作によって、ガラス枠２２のガラス枠鉤部１２、１３と係止部２５，２６の係合が外れ、ガラス枠２２は開放される。
【００３７】
このように、施錠状態においては、カム部材８の第１係合凸部８ａが摺動杆６の係合孔１１に嵌合し、カム部材８の第２係合凸部８ｂがガラス枠摺動杆１０の係合孔１４に嵌合して、摺動杆６とガラス枠摺動杆１０の両方をロックして、針金などを使用する不正解錠を防止することができ、そのような不正解錠防止機能を、従来のロック部材やロック解除部材を使用せずに、非常に簡易な構成により実現することができる。また、使用済みのパチンコ機を中古品として使用或はリサイクルする場合、シリンダ錠とカム部材を取り外した状態とすれば、前面枠やガラス枠は自由に開閉することができ、施錠装置本体も再使用することが可能となる。
【００３８】
なお、上記実施形態では、前面枠２１施錠用の摺動杆６に係合孔１１を設けると共に、ガラス枠２２施錠用のガラス枠摺動杆１０に係合孔１４を設け、カム部材８の第１係合凸部８ａを係合孔１１に嵌合させ、第２係合凸部８ｂを係合孔１４に嵌合させて、摺動杆６とガラス枠摺動杆１０の両方をロックしたが、何れか一方の係合凸部を係合孔に嵌合して、前面枠２１施錠用の摺動杆６またはガラス枠２２施錠用のガラス枠摺動杆１０の何れか一方のみをロックする構造とすることもできる。
【図面の簡単な説明】
【００３９】
【図１】本発明の一実施例を示す施錠装置の右側面図である。
【図２】その背面図である。
【図３】同施錠装置の分解右側面図である。
【図４】同施錠装置の分解背面図である。
【図５】カム部材近傍の部分拡大背面図である。
【図６】使用状態を示す、摺動杆、鉤部を解錠側に摺動させた際の右側面図である。
【図７】カム部材を前面枠の解錠側に回動させた際の部分拡大背面図である。
【図８】使用状態を示す、ガラス枠摺動杆を解錠側に摺動させた際の右側面図である。
【図９】カム部材をガラス枠の解錠側に回動させた際の部分拡大背面図である。
【符号の説明】
【００４０】
１      基枠
２      取付板
３      支持板
４      鉤部
５      鉤部
６      摺動杆
７      シリンダ錠
７ｂ    錠軸
８      カム部材
８ａ    第１係合凸部
８ｂ    第２係合凸部
１０    ガラス枠摺動杆
１１    係合孔
１２    ガラス枠鉤部
１３    ガラス枠鉤部
１４    係合孔
２０    本体枠
２１    前面枠
２２    ガラス枠
２５    係止部                                                                      
【図１】
2007313049.tif 000003
【図２】
2007313049.tif 000004
【図３】
2007313049.tif 000005
【図４】
2007313049.tif 000006
【図５】
2007313049.tif 000007
【図６】
2007313049.tif 000008
【図７】
2007313049.tif 000009
【図８】
2007313049.tif 000010
【図９】
2007313049.tif 000011